(57)【要約】【課題】窓ガラスへの雪氷の付着を防止し、赤外線カメラの感度を下げることなく、視野を確保できる赤外線用のカメラケース及びこれを用いたカメラ装置を提供する。【解決手段】カメラ２の撮影方向の側面に窓ガラス４を有するカメラケース本体１と、カメラケース本体１を覆うフード７と、フード７とカメラケース本体１で囲まれた空間により形成される空気流路内の空気を送風する送風ファン８と、送風ファン８により送風されてくる空気を窓ガラス４の前方に送り出す送風ノズル９とを備える。【選択図】図１
2010002740.tif 000002
【特許請求の範囲】
【請求項１】
カメラの撮影方向の側面に窓ガラスを有するカメラケース本体と、
前記カメラケース本体を覆うフードと、
前記フードと前記カメラケース本体で囲まれた空間により形成される空気流路内の空気を送風する送風ファンと、
前記送風ファンにより送風されてくる空気を前記窓ガラスの前方に送り出す送風ノズルとを備えたカメラケース。
【請求項２】
カメラの撮影方向の側面に窓ガラスを有するカメラケース本体と、
前記カメラケース本体を覆うフードと、
前記フードと前記カメラケース本体で囲まれた空間により形成される空気流路内の空気を送風する送風ファンと、
前記送風ファンにより送風されてくる空気を、前記窓ガラスの上方から窓ガラス面に対し平行に前記カメラケース本体の下方へ送り出す送風ノズルとを備えたカメラケース。
【請求項３】
カメラの撮影方向の側面に窓ガラスを有するカメラケース本体と、
前記カメラケース本体を覆うフードと、
前記フードと前記カメラケース本体で囲まれた空間により形成される空気流路内の空気を送風する送風ファンと、
前記送風ファンにより送風されてくる空気を、前記窓ガラスの上方から窓ガラス面に対し斜めに前記カメラケース本体の下方へ送り出す送風ノズルとを備えたカメラケース。
【請求項４】
カメラケース本体の窓ガラスを設けた側面を、送風ノズルの送風方向に沿った傾斜面としたことを特徴とする請求項３記載のカメラケース。
【請求項５】
空気流路の吸気口をカメラケース本体の底面側に設けたことを特徴とする請求項１から請求項４のうちのいずれか１項記載のカメラケース。
【請求項６】
請求項１から請求項５のうちのいずれか１項記載のカメラケースと、前記カメラケースのカメラケース本体に収容されるカメラとを備えたカメラ装置。
【発明の詳細な説明】
【技術分野】
【０００１】
この発明は、例えば赤外線カメラを収納し、屋外環境から赤外線カメラを保護するカメラケース及びこれを用いたカメラ装置に関するものである。
【背景技術】
【０００２】
図５は、特許文献１に記載された従来の赤外線カメラ用カメラケースを示す断面図である。図５において、窓ガラス１０３は、カメラケース本体１００の前面に設けられ、その外側には、モータ１０５で駆動するワイパ１０４が取り付けられている。赤外線カメラ１０１及び送風ファン１０２は、カメラケース本体１００内に収納され、送風ファン１０２はカメラケース本体１００内の下側に設置されて上方に送風している。
【０００３】
窓ガラス１０３の外側に付着した結露や雨水は、ワイパ１０４で拭き取られる。また、窓ガラス１０３の内側の結露は、カメラケース本体１００内の暖められた空気を送風ファン１０２で窓ガラス１０３の表面に吹き付けて除去する。この送風ファン１０２は、窓ガラス１０３の表面温度を均一化する役割もある。
【０００４】
赤外線カメラ１０１を使用するにあたり、窓ガラス１０３の表面温度が均一でないと、窓ガラス１０３の表面温度分布から赤外線カメラ１０１の感度が下がり、正確な温度検出ができなくなる。そこで、特許文献１では、カメラケース本体１００内で暖められた空気を、送風ファン１０２によって窓ガラス１０３の表面へ送風することにより、窓ガラス１０３の表面温度を均一に上昇させている（表面温度にムラがない状態）。
【０００５】
【特許文献１】特開２００３−１９８８９９号公報
【発明の開示】
【発明が解決しようとする課題】
【０００６】
従来のカメラケースを例えば降雪環境下に設置した場合、窓ガラス１０３の外側に付着した雪氷は、ワイパ１０４による拭き取りで除去される。しかしながら、窓ガラス１０３の外側に多くの雪氷が着氷し、ワイパ１０４の拭き取りで除去可能な付着量を超えると、雪氷を除去できなくなり、赤外線カメラ１０１の視野回復が困難となる。
【０００７】
また、送風ファン１０２によるカメラケース本体１００内からの送風では、窓ガラス１０３の表面温度を、外側に付着した雪氷を溶かすまで上げることができない。このため、窓ガラス１０３の表面温度が不均一になって、正確な温度検出ができなくなるとともに、赤外線カメラ１０１の視野回復が図れない。
【０００８】
さらに、屋外用カメラケースに広く採用されているヒータやデフロスタガラス等の発熱体を窓ガラス１０３の外側に設け、当該発熱体で発生した熱で雪氷を除去することが考えられるが、当該発熱体では窓ガラス１０３が局所的に昇温されて、窓ガラス１０３の表面温度が均一でなくなる。このため、返って赤外線カメラ１０１の受信感度を下げ、正確な温度検出ができなくなるという課題がある。
【０００９】
この発明は、上記のような課題を解決するためになされたもので、窓ガラスへの雪氷の付着を防止し、赤外線カメラの感度を下げることなく、視野を確保できる赤外線用のカメラケース及びこれを用いたカメラ装置を得ることを目的とする。
【課題を解決するための手段】
【００１０】
この発明に係るカメラケースは、カメラの撮影方向の側面に窓ガラスを有するカメラケース本体と、前記カメラケース本体を覆うフードと、前記フードと前記カメラケース本体で囲まれた空間により形成される空気流路内の空気を送風する送風ファンと、前記送風ファンにより送風されてくる空気を前記窓ガラスの前方に送り出す送風ノズルとを備えるものである。
【発明の効果】
【００１１】
この発明によれば、送風ファンにより送風されてくる空気を窓ガラスの前方に送り出す送風ノズルを備えたので、降雪時の雪氷が送風ノズルを介して前方に送風される空気によって押し返され、窓ガラスへの雪氷付着を防止し視野を確保することができる。従って、寒冷地で使用する監視カメラ等のカメラケースに好適である。
【発明を実施するための最良の形態】
【００１２】
実施の形態１．
図１は、この発明の実施の形態１によるカメラケースを用いたカメラ装置を示す断面図である。図１に示すように、実施の形態１によるカメラ装置は、カメラケース本体１内に赤外線カメラ２及び送風ファン３を収納している。赤外線カメラ２は、カメラケース本体１の前面に固定した窓ガラス４を介してカメラケース本体１外部を撮影する。送風ファン３では、カメラケース本体１内で暖められた空気を循環させて窓ガラス４の結露を除去する。
【００１３】
カメラケース本体１の前面（赤外線カメラ２の撮影方向の側面）には、モータ６により駆動するワイパ５が設けられている。ワイパ５は、モータ６からの駆動力により窓ガラス４上を摺動することにより、カメラケース本体１の外側から窓ガラス４に付着する付着物を拭き取る。
【００１４】
また、カメラケース本体１には、これを覆うフード７との間に空気流路が設けられている。この空気流路には、送風ファン８によって吸気口１０から空気が取り込まれる。フード７に収納される送風ファン８は、上記空気流路の窓ガラス４側の開口部に配置されており、吸気口１０から取り込んだ空気を送風ノズル９から送風する。
【００１５】
吸気口１０は、屋外における風雪により雪氷がカメラケース本体１に吹き付けても、雪氷で塞がることのないようにカメラケース本体１の底面側に配置する。これにより、送風ファン８よって送風する空気を確保している。
【００１６】
送風ノズル９は、例えば窓ガラス４と同程度若しくはそれ以上の幅の開口部を有するノズルからなり、送風ファン８からの空気を窓ガラス４の前方に送風する。このように窓ガラス４の前方に送風することにより、図１に示すように、送風ファン８の送風によって、窓ガラス４側へ吹き付けてくる雪氷を押し返すことができ、窓ガラス４への雪氷付着を防止できる。なお、雪氷を押し返す送風の強さは、送風ファン８の送風力を調節することによって、制御することが可能である。
【００１７】
以上のように、この実施の形態１によれば、従来であれば降雪時に窓ガラス４へ吹き付けていた雪氷が、送風ノズル９を介して前方に送風される空気によって押し返され、窓ガラス４への雪氷付着を防止して視野を確保することができる。また、発熱体等で窓ガラス４の表面温度を直接制御する必要がなく、窓ガラス４の表面温度が不均一な状態にならない。このため、赤外線カメラ２の感度を下げることがない。
【００１８】
実施の形態２．
図２は、この発明の実施の形態２によるカメラケースを用いたカメラ装置を示す断面図である。図２において、実施の形態２によるカメラ装置は、上記実施の形態１の図１で示した構成と基本的に同一であるが、送風ノズル９の代わりに、送風ファン８からの空気を窓ガラス４に沿って（窓ガラス４面に平行に）下方へ送風する送風ノズル１９を備える。この他の構成要素については、上記実施の形態１の図１で示したものと同様である。
【００１９】
送風ノズル１９は、例えば窓ガラス４と同程度若しくはそれ以上の幅の開口部を有するノズルからなり、送風ファン８からの空気を窓ガラス４に沿って下方へ送風する。このように窓ガラス４に沿って下方へ送風することにより、窓ガラス４側へ吹き付けてくる雪氷をカメラケース本体１の下方に送り出すことができ、窓ガラス４への雪氷付着を防止できる。なお、雪氷を送り出す送風の強さは、送風ファン８の送風力を調節することにより、制御することが可能である。
【００２０】
以上のように、この実施の形態２によれば、従来であれば降雪時に窓ガラス４へ吹き付けていた雪氷が、送風ノズル１９を介して送風される空気によって下方に送り出され、窓ガラス４への雪氷付着を防止して視野を確保することができる。また、発熱体等で窓ガラス４の表面温度を直接制御する必要がなく、窓ガラス４の表面温度が不均一な状態にならない。このため、赤外線カメラ２の感度を下げることがない。
【００２１】
実施の形態３．
図３は、この発明の実施の形態３によるカメラケースを用いたカメラ装置を示す断面図である。図３において、実施の形態３によるカメラ装置は、上記実施の形態１の図１で示した構成と基本的に同一であるが、送風ノズル９の代わりに、送風ファン８からの空気を窓ガラス４の前方側から下方へ窓ガラス４面に対して斜めに送風する送風ノズル２９を備える。この他の構成要素については上記実施の形態１の図１で示したものと同様である。
【００２２】
送風ノズル２９は、例えば窓ガラス４と同程度若しくはそれ以上の幅の開口部を有するノズルからなり、送風ファン８からの空気を窓ガラス４の前方側から下方へ窓ガラス４面に対して斜めに送風する。このように窓ガラス４の前方側から下方へ窓ガラス４面に対して斜めに送風することにより、上記実施の形態２と比較して窓ガラス４側へ吹き付けてくる雪氷をカメラケース本体１の下方に送り出し易くなり、窓ガラス４への雪氷付着を防止できる。なお、雪氷を送り出す送風の強さは、送風ファン８の送風力を調節することによって、制御することが可能である。
【００２３】
以上のように、この実施の形態３によれば、従来であれば降雪時に窓ガラス４へ吹き付けていた雪氷が、送風ノズル２９を介して送風される空気によって下方に送り出され、窓ガラス４への雪氷付着を防止して視野を確保することができる。また、発熱体等で窓ガラス４の表面温度を直接制御する必要がなく、窓ガラス４の表面温度が不均一な状態にならない。このため、赤外線カメラ２の感度を下げることがない。
【００２４】
実施の形態４．
図４は、この発明の実施の形態４によるカメラケースを用いたカメラ装置を示す断面図である。図４に示すように、実施の形態４によるカメラ装置は、上記実施の形態１〜３と異なり、上部が前方に突き出ており、底面側が後方に後退するようにカメラケース本体１の前面を傾斜させ、この前面に設けた窓ガラス１４に沿って下方へ送風する送風ノズル３９を備える。この他の構成要素については、上記実施の形態１の図１で示したものと同様である。
【００２５】
送風ノズル３９は、例えば窓ガラス１４と同程度若しくはそれ以上の幅の開口部を有するノズルであり、送風ファン８からの空気を、上記のように傾斜させたカメラケース本体１の前面に設けた窓ガラス１４に沿って（窓ガラス１４面に平行に）下方へ送風する。
【００２６】
カメラケース本体１の前面を上記のように傾斜させることにより、この前面に設けた窓ガラス１４へ吹き付けられる雪氷を、図４に示すようにカメラケース本体１の下方に流し易くすることができる。一般的に、降雪時の雪氷は、カメラケース本体１の前面へ垂直に吹き付けることはなく、図１〜４に記載したように、カメラケース本体１の前面に対して角度を持って吹き付けてくる。
【００２７】
そこで、実施の形態４では、カメラケース本体１の前面を送風ノズル３９の送風方向に沿った傾斜面、つまり上部が前方に突き出ており、底面側が後方に後退するように傾斜させ、送風ノズル３９によって送風ファン８からの空気を窓ガラス１４に沿って下方へ送風する。このようにすることで、送風ファン８の送風方向と雪氷の流れ（図４中、矢印で示す）とが合わさって、雪氷の流れと送風ファン８による送風との相乗効果によって雪氷をカメラケース本体１の下方に送り出し易くすることができる。これにより、窓ガラス１４への雪氷付着を防止できる。なお、雪氷を送り出す送風の強さは、送風ファン８の送風力を調節することによって、制御することが可能である。
【００２８】
以上のように、この実施の形態４によれば、従来であれば降雪時に窓ガラス１４へ吹き付けていた雪氷が、カメラケース本体１の前面を送風ノズル３９の送風方向に沿って傾斜させ、送風ノズル３９を介して送風される空気によりカメラケース本体１の下方に送り出される。これにより、窓ガラス１４への雪氷付着が防止されて視野を確保することができる。また、発熱体等で窓ガラス１４の表面温度を直接制御する必要がなく、窓ガラス１４の表面温度が不均一な状態にならない。このため、赤外線カメラ２の感度を下げることがない。
【００２９】
なお、上記実施の形態１〜４において、送風ノズル９，１９，２９，３９の送風方向を固定としたが、送風ノズルの基部を例えば蛇腹状の管として首振り自在に構成することにより、送風方向の変更や調節ができるようにしても構わない。
【図面の簡単な説明】
【００３０】
【図１】この発明の実施の形態１によるカメラケースを用いたカメラ装置を示す断面図である。
【図２】この発明の実施の形態２によるカメラケースを用いたカメラ装置を示す断面図である。
【図３】この発明の実施の形態３によるカメラケースを用いたカメラ装置を示す断面図である。
【図４】この発明の実施の形態４によるカメラケースを用いたカメラ装置を示す断面図である。
【図５】従来の赤外線カメラ用カメラケースを用いたカメラ装置を示す断面図である。
【符号の説明】
【００３１】
１  カメラケース本体、２  赤外線カメラ、３，８  送風ファン、４，１４  窓ガラス、５  ワイパ、６  モータ、７  フード、９，１９，２９，３９  送風ノズル、１０  吸気口、１００  カメラケース本体、１０１  赤外線カメラ、１０２  送風ファン、１０３  窓ガラス、１０４  ワイパ、１０５  モータ。
【図１】
2010002740.tif 000003
【図２】
2010002740.tif 000004
【図３】
2010002740.tif 000005
【図４】
2010002740.tif 000006
【図５】
2010002740.tif 000007